(57)【特許請求の範囲】
【請求項１】
中空部を有する筐体と、
前記筺体の中空部にそれぞれが回動可能に並設された、各種機器の電源プラグの差込口が形成された複数のコンセント部と、
前記複数のコンセント部それぞれの回動軸を介して電源からの給電を行う給電機構と、を有し、
前記筐体は、前記中空部を全周に渡って囲む環状体であり、
前記コンセント部は、隣接するコンセント部の差込口が相互に近接又は離間する方向に向けて回動し、且つ、前記複数のコンセント部全てが相互に干渉せず前記筺体の中空部内に収納可能に構成され、回動動作に応じて当該コンセント部の差込口が前記筺体表面又は裏面から突出した状態になるように形成されることを特徴とする、
テーブルタップ。
【請求項２】
前記コンセント部は、隣接する回動軸間の距離に基づいてそれぞれが個別に回動可能なサイズに形成されることを特徴とする、
請求項１に記載のテーブルタップ。
【請求項３】
前記各コンセント部は、それぞれの挿入口が前記筺体の長さ方向へ向くことにより前記中空部内に収納されることを特徴とする、
請求項１又は２に記載のテーブルタップ。
【請求項４】
中空部を有する筐体と、
前記筺体の中空部にそれぞれが回動可能に並設された、各種機器の電源プラグの差込口が形成された複数のコンセント部と、
前記複数のコンセント部それぞれの回動軸を介して電源からの給電を行う給電機構と、を有し、
前記筐体は、前記中空部を全周に渡って囲む環状体であり、
前記コンセント部は、隣接するコンセント部の差込口が相互に近接又は離間する方向に向けて回動し、且つ、前記複数のコンセント部全てが相互に干渉せず前記筺体の中空部内に収納可能に構成され、回動動作に応じて当該コンセント部の差込口が前記筺体表面又は裏面から突出した状態になるように形成されることを特徴とする、
コンセント。
【発明の詳細な説明】
【技術分野】
【０００１】
本発明は、電気機器に電源を供給するテーブルタップ及びコンセントの技術に関する。
【背景技術】
【０００２】
テーブルタップは、壁等に設けられたコンセントから離れた場所に配置された機器（電気機器）に対して電源を供給するための器具であり、一般的には複数の電気機器に対して電源供給が可能となるように複数のコンセント部（差込口）を有している。このコンセント部に電源プラグ（以下、プラグと称す）が差し込まれ、テーブルタップを介して電気機器と電源とが電気的に接続された状態になる。
【０００３】
例えば、直流電力を出力するＡＣアダプタは、電源から交流電力を受け付け、それぞれの機器に合わせた形式の電力を出力するための機構を備えた筺体を有する。そのため、ＡＣアダプタをテーブルタップに接続した場合、ＡＣアダプタの筺体が隣のコンセント部の差込口を塞いでしまうことがある。そのため、コンセント部の配置の間隔を広げて、その干渉が少なくなるように工夫された製品もある。
【０００４】
例えば、特許文献１に開示されたテーブルタップは、隣り合うプラグ差込口部に差し込まれた電源アダプタ等の筺体が干渉せず、且つ、差込口部の数を自由に変更できる、というものである。
【０００５】
また、特許文献２に開示されたマルチタップは、受刃（コンセント部）の１つを上下９０［°］に回動可能な回動受刃を有する。これにより、ＡＣアダプタなどの大きなプラグを固定受刃に差し込んだ際に回動受刃が塞がれた場合であっても当該回動受刃にプラグを差し込むことが可能となる、というものである。
【先行技術文献】
【特許文献】
【０００６】
【特許文献１】特開２０１４−０７２１５９号公報
【特許文献２】実用新案登録第３１０６６５９号公報
【発明の概要】
【発明が解決しようとする課題】
【０００７】
しかしながら、特許文献１に開示されたテーブルタップでは、プラグを差し込んだ状態では当該テーブルタップの長さ方向に対して垂直方向にプラグ及プラグコードが引き出ることになる。そのため、プラグコードを整然と纏められない、という問題が残る。
また、特許文献２に開示されたマルチタップでは、固定受刃と回動受刃を有し、回転受刃は上下９０［°］の位置においてＡＣアダプタを接続可能としているが、表面側あるいは裏面側それぞれにおいて接続可能なＡＣアダプタの数は従来のものと変わらない。
さらに、固定受刃のプラグ差込口は、プラグ未接続の状態で上方側に向いており、その状態は固定的である。そのため、当該差込口から埃等の異物が侵入しやすく、安全性が損なわれる恐れがある、という課題が残る。
【０００８】
本発明は、使用時／未使用時の収納性と安全性を共に高めつつ、複数のＡＣアダプタ等を効率よく接続することができるテーブルタップ及びコンセンを提供することを、主たる目的とする。
【課題を解決するための手段】
【０００９】
本発明のテーブルタップは、中空部を有する筐体と、前記筺体の中空部にそれぞれが回動可能に並設された、各種機器の電源プラグの差込口が形成された複数のコンセント部と、前記複数のコンセント部それぞれの回動軸を介して電源からの給電を行う給電機構と、を有し、前記筐体は、前記中空部を全周に渡って囲む環状体であり、前記コンセント部は、隣接するコンセント部の差込口が相互に近接又は離間する方向に向けて回動し、且つ、前記複数のコンセント部全てが相互に干渉せず前記筺体の中空部内に収納可能に構成され、回動動作に応じて当該コンセント部の差込口が前記筺体表面又は裏面から突出した状態になるように形成されることを特徴とする。
【００１０】
また、本発明のコンセントは、中空部を有する筐体と、前記筺体の中空部にそれぞれが回動可能に並設された、各種機器の電源プラグの差込口が形成された複数のコンセント部と、前記複数のコンセント部それぞれの回動軸を介して電源からの給電を行う給電機構と、を有し、前記筐体は、前記中空部を全周に渡って囲む環状体であり、前記コンセント部は、隣接するコンセント部の差込口が相互に近接又は離間する方向に向けて回動し、且つ、前記複数のコンセント部全てが相互に干渉せず前記筺体の中空部内に収納可能に構成され、回動動作に応じて当該コンセント部の差込口が前記筺体表面又は裏面から突出した状態になるように形成されることを特徴とする。
【発明の効果】
【００１１】
本発明によれば、使用時／未使用時の安全性を共に高めつつ、隣接するコンセント部の差込口を塞ぐことなく効率よくＡＣアダプタ等を接続することができるテーブルタップ及びコンセンを提供することができる。
【図面の簡単な説明】
【００１２】
【図１】本実施形態に係るテーブルタップの外観の一例を示す図。
【図２】筺体の内周側空間に配設された各構成を説明するための図。
【図３】（ａ）、（ｂ）、（ｃ）は、使用状態の一例を説明するための図。
【図４】（ａ）、（ｂ）、（ｃ）は、図３とは異なる使用状態の一例を説明するための図。
【図５】（ａ）、（ｂ）、（ｃ）は、コンセント部を４つ有する場合のテーブルタップの構成例を説明するための図。
【図６】略コの字型に形成された中空部を有する筐体を備えた、コンセント部を４つ有するテーブルタップの構成例を説明するための図。
【発明を実施するための形態】
【００１３】
以下、図面を参照しながら実施形態を説明する。なお、本実施形態の説明においては、３つのコンセント部（受刃）を有するテーブルタップ、及び、４つのコンセント部を有するテーブルタップを例に挙げて説明を進める。
【００１４】
［実施形態例］
図１は、本実施形態に係るテーブルタップの外観の一例を示す図である。
図１に示すテーブルタップ１０は、筺体１００、誘導部１０２、回動可能に配設されたコンセント部１０１ａ〜１０１ｃ、電源に接続される電源コードＤを含んで構成される。なお、以下の説明において特に区別する必要がない場合には、３つのコンセント部１０１ａ〜１０１ｃを各コンセント部１０１と示す。
【００１５】
筺体１００は、図１に示すように矩形の環状に形成され、その内側空間（中空部）にはコンセント部１０１ａ等が配設される。誘導部１０２は、筺体１００の中空部に配設され、コンセント部１０１ａ〜１０１ｃ側へ向けてその突端が細くなるようなくさび形状に形成される。誘導部１０２は、例えばコンセント部１０１ａにプラグを接続した際に、当該プラグのコードがコンセント部１０１ａと筺体１００の内壁との間に挟み込まれないように誘導する。これにより、プラグコードに余分な負荷をかけずにその取り回しをスムースに行うことができる。なお、筺体１００は、矩形の環状に形成する他、楕円の環状に形成するなど任意にその形状を決定することができる。
【００１６】
各コンセント部１０１には、プラグが挿入される差込口が形成される。また、各コンセント部は、筺体１００の中空部において回動可能に配設される。各コンセント部１０１は、それぞれの回動軸を介して電源コードＤを介した電源からの給電を行う給電機構と電気的に接続される。給電機構の詳細については、図５を用いて後述する。
【００１７】
図２は、筺体１００の中空部に配設された各構成を説明するための図である。
図２（ａ）は、各コンセント部が筺体１００に対して相対的に回動する様子を表す図である。また、図２（ｂ）は、図２（ａ）の概略縦断面図である。
【００１８】
テーブルタップ１０を使用する際には、各コンセント部をプラグが差し込みやすい位置まで矢印方向に回動させる。つまり、コンセント部にプラグを接続する際にはその差込口の向きを任意に変えることができる。例えば、図２（ａ）では、各コンセント部を筺体１００の表面に対して斜め４５［°］程度回動させてその後回動を停止した状態を表している。
【００１９】
本実施形態に係るテーブルタップでは、各コンセント部それぞれを個別に回動させて各コンセント部の差込口の向きを変えることにより、サイズ・形状等（例えば、ＡＣアダプタなどのサイズの大きいもの）の異なるプラグを隣接するコンセント部の差込口を塞ぐことなく効率よく接続することができるようになる。このように各コンセント部は、隣接するコンセント部のプラグ挿入口が相互に近接又は離間する方向に向けて回動可能に構成される。
【００２０】
また、各コンセント部は、図２（ａ）に示すように、回動動作に応じて当該各コンセント部の差込口が筺体１００の表面から突出するようなサイズ・形状に形成される。これは、後述する図４（ｃ）に示す使用状態例のように、筺体１００の表面側又は裏面側に複数のＡＣアダプタを効率よく接続するための構成である。詳細については、後述する。
【００２１】
また、各コンセント部は、プラグ未接続時には複数のコンセント部全てが相互に干渉せずに筺体１００の中空部内に収納可能になっている。つまり、本実施形態に係るテーブルタップ１０は、コンセント部を回動させてその差込口が筺体１００の表面から突出した状態で使用され、また、未使用時（プラグ未接続時）においては当該差込口が水平方向（筺体１００の長さ方向）で、且つ、同じ方向を向くように回動可能に構成される。これにより、使用時の利便性を向上させつつ、未使用時に各コンセント部の差込口から埃等の異物がその内部に侵入してしまうことを防止して安全性の向上を図ることができる。
【００２２】
また、給電機構は、図２（ｂ）に示すように、筺体１００の内部に配設され、且つ、電源コードＤと電気的に接続された通電部１１０、及び、回動軸を介してこの通電部１１０と電気的に接続される受刃端子１０５ａ〜１０５ｃを含んで構成される。コンセント部１０１ａに接続されたプラグに対しては、受刃端子１０５ａを介して給電が行われる。同様に、コンセント部１０１ｂに接続されたプラグに対しては、受刃端子１０５ｂを介して給電が行われる。また、コンセント部１０１ｃに接続されたプラグに対しては、受刃端子１０５ｃを介して給電が行われる。
【００２３】
図３は、テーブルタップ１０の使用状態の一例を説明するための図である。
図３（ａ）に示す使用例では、各コンセント部それぞれに接続された各プラグのコードが同じ方向に向けて取り回されている様子が見て取れる。このような向きに各コンセント部を回動させることで、プラグ、及び、プラグコードが最小の状態で取り回し・整理等が容易になる。
【００２４】
また、図３（ｂ）に示す使用例では、テーブルタップ１０に接続される各機器の配置に応じて、プラグコードの向きを変えている。このような向きに各コンセント部を回動させることで、プラグコードに負荷をかけることなくその取り回しを行うことが可能になる。
【００２５】
また、図３（ｃ）に示す使用例では、各コンセント部それぞれに接続された各プラグのコードが上方に向けて取り回されている様子が見て取れる。このように、各コンセント部の差込口の向きは、電気機器の配置、あるいはプラグコードの取り回し方向等に応じて任意の方向を向くように調整することができる。
なお、上述の使用例においては、例えば床面にテーブルタップ１０を載置した状態で使用する場合、当該テーブルタップ１０が床面に対して安定する。このような点からも使用時の安全性向上を図ることができる。
【００２６】
図４は、図３とは異なる、テーブルタップ１０の使用状態の一例を説明するための図である。
図４（ａ）、（ｂ）に示す使用例では、テーブルタップ１０の表面側と裏面側それぞれの面でプラグが接続されていることが見て取れる。本実施形態に係るテーブルタップ１０は接続対象に応じてこのように使用することもできる。なお、図４（ａ）に示すように、各コンセント部は、筺体１００を挟んでそれぞれの差込口が突出する面（例えば、筺体表面）と反対側の面（例えば、筺体裏面）から当該コンセント部の一部が突出しないように構成されていることが見て取れる。
【００２７】
また、図４（ｃ）に示す使用例では、テーブルタップ１０の一面側に３つのＡＣアダプタが効率よく接続されていることが見て取れる。本実施形態に係るテーブルタップ１０では、筺体１００の表面側又は裏面側から各コンセント部の挿入口が突出するように構成されていることは前述した通りである。例えば、従来一般のテーブルタップに複数のＡＣアダプタを接続する場合、筺体表面にＡＣアダプタを載置することになり、その結果コンセント部間の距離により接続可能なＡＣアダプタの数が制限されることになる。つまり、多くのＡＣアダプタを接続可能とするためには、筺体サイズ（例えば、筺体の長さ）を大きく考慮する必要があった。
これに対し、本実施形態に係るテーブルタップ１０では、各コンセント部が回動可能であるとともに、回動動作に応じて筺体１００の表面から各コンセント部の差込口が突出するように構成されている。そのため、従来一般のテーブルタップと比べて、ＡＣアダプタを接続した際の筺体表面に対する当該ＡＣアダプタの投影面積が小さくて済むことになり、その結果効率よくＡＣアダプタを接続することができる。
【００２８】
なお、上記実施形態では本発明をテーブルタップ１０として構成した場合の例を挙げて説明した。この他にも本発明をコンセントとして構成することもできる。例えば、コンセント部１０１ａ〜ｃを有する筐体１００を壁に固定的に取り付けたり、あるいはコンピュータラック（収納棚）に取り付ける。このように、本発明は固定的に使用するコンセントなどにも応用することができる。
【００２９】
［変形例１］
図５は、コンセント部を４つ有する場合のテーブルタップ１０の構成の一例を説明するための図である。なお、基本的な構成はコンセント部が３つの場合と同じである。また、図５に示すテーブルタップ１０の筺体を筺体２００、各コンセント部をコンセント部２０１ａ〜２０１ｄと称して説明を進める。
【００３０】
図５（ａ）は、コンセント部２０１ａ〜２０１ｄのそれぞれが、プラグ未接続時においてその全てが相互に干渉せず筺体２００の中空部に収納されている様子を示している。なお、図５（ａ）では、各コンセント部の挿入口が図正面から見て右側を向いている状態で収納されている。また、各コンセント部が収納された状態においては、筺体２００の表面及び裏面はフラットな面になる。この点は、前述した筺体１００においても同じ状態になる。
【００３１】
図５（ｂ）は、電源コードＤから各コンセント部の受刃端子２０５ａ〜２０５ｄへの電気的な接続関係の一例を示している。図２（ｂ）において説明したものと同様に、電源コードＤと電気的に接続された通電部２１０と受刃金具２０５ａ〜２０５ｄは回動軸２１１  ａ〜２１１ｄを介して電気的に接続される。
【００３２】
図５（ｃ）は、接続対象に応じて各コンセント部を回動させている様子を示している。コンセント部２０１ａは、その挿入口を垂直方向下側に向けた位置で回動停止させている。また、コンセント部２０１ｂは、その挿入口を垂直方向上側に向けた位置で回動停止させている。
【００３３】
また、コンセント部２０１ｃは、その挿入口を筺体表面に対して右斜め４５［°］の方向に向けた位置で回動停止させている。また、コンセント部２０１ｄは、その挿入口を筺体表面に対して大凡右斜め２０［°］の方向に向けた位置で回動停止させている。なお、コンセント部２０１ｄに接続されたプラグコードは、誘導部によりコンセント部２０１ｄと筺体２００の内壁との間に挟み込まれないように誘導される。
【００３４】
このように、本実施形態に係るテーブルタップ１０は、各コンセント部が個別に回動可能に配設される。また、各コンセント部全てが相互に干渉せず筺体の中空部内に収納可能に構成される。これにより、使用時／未使用時の安全性を共に高めつつ、複数のプラグ、並びに、ＡＣアダプタ等を効率よく接続することができる。
【００３５】
なお、各コンセント部は、相互に干渉せずに筺体１００の中空部内に収納可能なサイズ・形状に形成することができることは前述した通りである。さらに、隣接する回動軸間の距離を基準して各コンセント部のサイズ・形状等を設定することにより、各コンセント部それぞれが個別に３６０［°］回動可能となるように構成することもできる。
【００３６】
［変形例２］
図６は、略コの字型に形成された中空部を有する筐体を備えた、コンセント部を４つ有するテーブルタップの構成の一例を説明するための図である。なお、筐体の形状を除く基本的な構成はこれまでに説明したテーブルタップ１０と同じである。また、図６に示すテーブルタップ１０の筺体を筺体３００、各コンセント部をコンセント部３０１ａ〜３０１ｄと称し、筐体の形状を中心に説明を進める。
【００３７】
筺体３００は、図６に示すように略コの字型に形成され、その中空部にはコンセント部３０１ａ〜３０１ｄが配設される。また、筺体３００は略コの字型に形成されているため、各コンセント部の一部（コンセント部３０１ｄ）は、回動動作によりその差込口が筺体３００の長さ方向側の筐体端から突出させることができる。そのため、コンセント部３０１は、図６に示すような状態でも使用可能となり、プラグ、及び、プラグコードが最小の状態で取り回し・整理等がより容易になる。
【００３８】
なお、各コンセント部は、相互に干渉せずに筺体３００の中空部内に収納可能なサイズ・形状に形成することができる。さらに、隣接する回動軸間の距離を基準して各コンセント部のサイズ・形状等を設定することにより、各コンセント部それぞれが個別に３６０［°］回動可能となるように構成することもできる。
【００３９】
上記説明した実施形態は、本発明をより具体的に説明するためのものであり、本発明の範囲が、これらの例に限定されるものではない。
【符号の説明】
【００４０】
１０・・・テーブルタップ、１００、２００、３００・・・筺体、１０１ａ〜ｃ、２０１ａ〜ｄ、３０１ａ〜ｄ・・・コンセント部、１０２・・・誘導部、１０５ａ〜ｃ、２０５ａ〜ｄ・・・受刃端子、１１０、２１０・・・通電部、２１１ａ〜２１１ｄ・・・回動軸、Ｄ・・・電源コード。
【図１】
0006632316.tif 000002
【図２】
0006632316.tif 000003
【図３】
0006632316.tif 000004
【図４】
0006632316.tif 000005
【図５】
0006632316.tif 000006
【図６】
0006632316.tif 000007